(57)【要約】【課題】不正部材が遊技領域へ侵入する不都合を抑制することができ、しかも、透明部材に結露が発生して遊技領域が観賞し難くなる不具合を抑えることができる遊技機を提供する。【解決手段】前面枠３には、内側開閉枠９を軸着するとともに外側開閉枠１０を軸着し、内側開閉枠９は、内側回動軸ＬＡを中心に回動して開閉可能とし、遊技盤５を前方から被覆する内側透明部材２６を保持し、外側開閉枠１０は、内側回動軸ＬＡとは異なる外側回動軸ＬＢを中心に内側開閉枠９とは異なる回動方向へ回動して開閉可能とし、内側開閉枠９を前方から被覆する外側透明部材４０を保持し、内側開閉枠９および外側開閉枠１０を閉じると、内側透明部材２６と外側透明部材４０とが前後に位置して、内側透明部材２６と外側透明部材４０との間に透明部材間空部６４を形成し、該透明部材間空部６４を内側透明部材２６の縁部および外側透明部材４０の縁部よりも外方の空間へ連通する。【選択図】図２
2008206812.tif 000002
【特許請求の範囲】
【請求項１】
前面枠と、該前面枠に収納され、前面に遊技領域が区画形成された遊技盤と、を備えた遊技機において、
前記前面枠には、遊技領域を前方から被覆可能な内側開閉枠を開閉可能な状態で軸着するとともに、該内側開閉枠を前方から被覆可能な外側開閉枠を開閉可能な状態で軸着し、
前記内側開閉枠は、前面枠に対して内側回動軸を中心に回動して開閉可能とし、遊技領域を透視可能な状態で遊技盤を前方から被覆する内側透明部材を保持し、
前記外側開閉枠は、前面枠に対して、内側回動軸とは異なる外側回動軸を中心に内側開閉枠とは異なる回動方向へ回動して開閉可能とし、内側透明部材を介して遊技領域を透視可能な状態で内側開閉枠を前方から被覆する外側透明部材を保持し、
前記内側開閉枠および外側開閉枠を前面枠に対して閉じると、内側透明部材と外側透明部材とが前後に位置して、内側透明部材と外側透明部材との間に透明部材間空部を形成し、該透明部材間空部を内側透明部材の縁部および外側透明部材の縁部よりも外方の空間へ連通することを特徴とする遊技機。
【請求項２】
前記透明部材間空部は、内側透明部材と外側透明部材とを前後に離間して形成されたことを特徴とする請求項１に記載の遊技機。
【請求項３】
前記内側開閉枠を閉状態でロックする内側ロック機構と、外側開閉枠を閉状態でロックする外側ロック機構と、を備え、
前記内側ロック機構には内側解除操作部を設け、該内側解除操作部に内側鍵部材を係合すると、内側ロック機構のロック状態を解除可能とし、
前記外側ロック機構には外側解除操作部を設け、該外側解除操作部に外側鍵部材を係合すると、外側ロック機構のロック状態を解除可能とし、
前記内側ロック機構は、外側回動軸の近傍に、外側開閉枠により被覆可能な状態で配置されたことを特徴とする請求項１または請求項２に記載の遊技機。
【請求項４】
前記外側開閉枠の開閉に伴って移動する係合許容機構を備え、
該係合許容機構は、外側開閉枠を予め設定された許容開放姿勢で開くと、内側解除操作部と内側鍵部材との係合を許容することを特徴とする請求項３に記載の遊技機。
【請求項５】
前記前面枠のうち外側開閉枠の自由端部が重合する箇所に、内側開閉枠および外側開閉枠を閉状態でロックする開閉ロック機構を備えたことを特徴とする請求項１または請求項２に記載の遊技機。
【発明の詳細な説明】
【技術分野】
【０００１】
本発明は、前面枠と、該前面枠に収納され、前面に遊技領域が区画形成された遊技盤とを備えたパチンコ遊技機等の遊技機に関する。
【背景技術】
【０００２】
従来の遊技機、例えば、パチンコ遊技機においては、前面に遊技領域が区画形成された遊技盤を前面枠へ収納し、該前面枠の前面には、ガラス板等の透明部材が収納（保持）された開閉枠を配置して遊技盤を被覆し、透明部材を通して遊技領域を前方から透視できるように構成されている。また、開閉枠の一側を前面枠に軸着して左右方向に開閉可能とし、開閉枠の他側には施錠機構を設け、開閉枠を閉状態でロックできるように構成されている。
【０００３】
ところが、閉状態でロックしたとしても、不正行為を行おうとする者が開閉枠を強引に引っ張ると、開閉枠が撓んで開閉枠と前面枠との間に隙間が生じる虞がある。さらに、この隙間を通してピアノ線やセル板等の不正部材を遊技領域へ挿入して不正行為が行われる虞がある。そこで、前面枠に、透明部材が保持された第１開閉枠（ガラス枠ユニット）を開閉可能な状態で軸着するとともに、該第１開閉枠の外周を装飾する第２開閉枠（装飾枠）を開閉可能な状態で軸着し、第１開閉枠の透明部材で遊技領域を前方から被覆するパチンコ遊技機が提案されている。このパチンコ遊技機では、不正行為者が第２開閉枠を撓ませたとしても透明部材が撓むことを阻止し、遊技領域とパチンコ遊技機の外部とを連通する隙間が形成される不都合、ひいてはこの隙間を通して不正部材を遊技領域へ侵入させようとする不正行為を抑制することができる（例えば、特許文献１参照）。
【特許文献１】特開２００５−１８５７４３号公報
【発明の開示】
【発明が解決しようとする課題】
【０００４】
ところで、上記特許文献１に記載のパチンコ遊技機では、第１開閉枠に一対の透明部材を前後に離間した状態で保持し、透明部材の間の空間を密閉している。このため、両透明部材の内側で結露が発生し易くなり、透明部材を通して遊技領域を観賞し難くなる虞がある。
【０００５】
本発明は、上記の事情に鑑みてなされたものであり、その目的は、閉状態の開閉枠を撓ませたとしても、遊技領域と遊技機の外部とを連通する隙間が形成されて不正部材が遊技領域へ侵入する不都合を抑制することができ、しかも、遊技領域の前方に配置される透明部材に結露が発生して遊技領域が観賞し難くなる不具合を抑えることができる遊技機を提供しようとするものである。
【課題を解決するための手段】
【０００６】
本発明は、上記目的を達成するために提案されたものであり、請求項１に記載のものは、前面枠と、該前面枠に収納され、前面に遊技領域が区画形成された遊技盤と、を備えた遊技機において、
前記前面枠には、遊技領域を前方から被覆可能な内側開閉枠を開閉可能な状態で軸着するとともに、該内側開閉枠を前方から被覆可能な外側開閉枠を開閉可能な状態で軸着し、
前記内側開閉枠は、前面枠に対して内側回動軸を中心に回動して開閉可能とし、遊技領域を透視可能な状態で遊技盤を前方から被覆する内側透明部材を保持し、
前記外側開閉枠は、前面枠に対して、内側回動軸とは異なる外側回動軸を中心に内側開閉枠とは異なる回動方向へ回動して開閉可能とし、内側透明部材を介して遊技領域を透視可能な状態で内側開閉枠を前方から被覆する外側透明部材を保持し、
前記内側開閉枠および外側開閉枠を前面枠に対して閉じると、内側透明部材と外側透明部材とが前後に位置して、内側透明部材と外側透明部材との間に透明部材間空部を形成し、該透明部材間空部を内側透明部材の縁部および外側透明部材の縁部よりも外方の空間へ連通することを特徴とする遊技機である。
【０００７】
請求項２に記載のものは、前記透明部材間空部は、内側透明部材と外側透明部材とを前後に離間して形成されたことを特徴とする請求項１に記載の遊技機である。
【０００８】
請求項３に記載のものは、前記内側開閉枠を閉状態でロックする内側ロック機構と、外側開閉枠を閉状態でロックする外側ロック機構と、を備え、
前記内側ロック機構には内側解除操作部を設け、該内側解除操作部に内側鍵部材を係合すると、内側ロック機構のロック状態を解除可能とし、
前記外側ロック機構には外側解除操作部を設け、該外側解除操作部に外側鍵部材を係合すると、外側ロック機構のロック状態を解除可能とし、
前記内側ロック機構は、外側回動軸の近傍に、外側開閉枠により被覆可能な状態で配置されたことを特徴とする請求項１または請求項２に記載の遊技機である。
【０００９】
請求項４に記載のものは、前記外側開閉枠の開閉に伴って移動する係合許容機構を備え、
該係合許容機構は、外側開閉枠を予め設定された許容開放姿勢で開くと、内側解除操作部と内側鍵部材との係合を許容することを特徴とする請求項３に記載の遊技機である。
【００１０】
請求項５に記載のものは、前記前面枠のうち外側開閉枠の自由端部が重合する箇所に、内側開閉枠および外側開閉枠を閉状態でロックする開閉ロック機構を備えたことを特徴とする請求項１または請求項２に記載の遊技機である。
【発明の効果】
【００１１】
本発明によれば、以下のような優れた効果を奏する。
請求項１に記載の発明によれば、前面枠には、遊技領域を前方から被覆可能な内側開閉枠を開閉可能な状態で軸着するとともに、該内側開閉枠を前方から被覆可能な外側開閉枠を開閉可能な状態で軸着し、内側開閉枠は、前面枠に対して内側回動軸を中心に回動して開閉可能とし、遊技領域を透視可能な状態で遊技盤を前方から被覆する内側透明部材を保持し、外側開閉枠は、前面枠に対して、内側回動軸とは異なる外側回動軸を中心に内側開閉枠とは異なる回動方向へ回動して開閉可能とし、内側透明部材を介して遊技領域を透視可能な状態で内側開閉枠を前方から被覆する外側透明部材を保持し、内側開閉枠および外側開閉枠を前面枠に対して閉じると、内側透明部材と外側透明部材とが前後に位置して、内側透明部材と外側透明部材との間に透明部材間空部を形成し、該透明部材間空部を内側透明部材の縁部および外側透明部材の縁部よりも外方の空間へ連通するので、遊技領域を二重の開閉枠で被覆することができる。また、閉状態の外側開閉枠を強引に開こうとして撓ませたとしても、閉状態の内側開閉枠が撓むことを阻止することができる。このことから、遊技領域と遊技機の外部とを連通して不正部材が挿入可能となる隙間が形成される不都合を抑えることができ、ひいてはこの隙間を通して不正部材を遊技領域へ侵入させようとする不正行為を抑制することができる。さらに、内側開閉枠および外側開閉枠を閉じて内側透明部材と外側透明部材とを前後に位置した状態であっても、両透明部材の間の空間と外部との通気性を維持することができ、透明部材の表面に結露が生じて遊技領域を視認し難くなる不都合をなくすことができる。
【００１２】
請求項２に記載の発明によれば、透明部材間空部は、内側透明部材と外側透明部材とを前後に離間して形成されたので、遊技領域の前方から磁力を作用させて遊技球を不正に誘導しようとしても、磁力が作用するまで磁石などの不正部材を遊技領域の遊技球に近づけることを阻止することができる。したがって、磁力を利用して遊技球を誘導する不正行為を未然に防ぐことができる。
【００１３】
請求項３に記載の発明によれば、内側開閉枠を閉状態でロックする内側ロック機構と、外側開閉枠を閉状態でロックする外側ロック機構とを備え、内側ロック機構には内側解除操作部を設け、該内側解除操作部に内側鍵部材を係合すると、内側ロック機構のロック状態を解除可能とし、外側ロック機構には外側解除操作部を設け、該外側解除操作部に外側鍵部材を係合すると、外側ロック機構のロック状態を解除可能としたので、複数のロック機構を解除した後でなければ遊技領域を露出することができないように設定することができる。したがって、不正目的で遊技領域を露出しようとする不正行為者の作業を長引かせることができる。また、内側ロック機構は、外側回動軸の近傍に、外側開閉枠により被覆可能な状態で配置されたので、外側開閉枠を十分に開かなければ内側ロック機構を解除することができないように設定することができる。したがって、不正目的で遊技領域を露出しようとする不正行為を目立たせることができる。このことから、不正行為の摘発や防止を促進することができる。
【００１４】
請求項４に記載の発明によれば、外側開閉枠の開閉に伴って移動する係合許容機構を備え、該係合許容機構は、外側開閉枠を予め設定された許容開放姿勢で開くと、内側解除操作部と内側鍵部材との係合を許容するので、内側開閉枠を開放する準備において、外側開閉枠の開き具合を調整するという手間を増やすことができる。したがって、不正目的で遊技領域を露出しようとする不正行為者の作業を長引かせることができ、不正行為の摘発や防止を一層促進することができる。
【００１５】
請求項５に記載の発明によれば、前面枠のうち外側開閉枠の自由端部が重合する箇所に、内側開閉枠および外側開閉枠を閉状態でロックする開閉ロック機構を備えたので、単一のロック機構で内側開閉枠および外側開閉枠を閉状態でロックすることができる。したがって、内側開閉枠および外側開閉枠をロックするための構成が複雑になる不都合を避けることができ、各開閉枠のロック機構の製造コスト、ひいては遊技機の製造コストの低減を図ることができる。また、開閉ロック機構を操作するだけで内側開閉枠および外側開閉枠のロック状態を解除することができる。したがって、不正行為ではない正規のメンテナンス作業等において作業員の負担を軽減することができる。
【発明を実施するための最良の形態】
【００１６】
以下、代表的な遊技機であるパチンコ遊技機を例に挙げて本発明の実施の最良の形態を図面に基づき説明する。図１はパチンコ遊技機の正面図、図２はパチンコ遊技機の前面側を開放した状態の斜視図である。
パチンコ遊技機１は、図１および図２に示すように、外枠（機枠あるいは本体枠）２に、大きな矩形状開口を有する略額縁状の前面枠（内枠）３を開閉可能に軸着し、この前面枠３のベースとなる前面枠本体４（すなわち前面枠３側）に矩形状の遊技盤５を収納し、該遊技盤５の前面に略円形状の遊技領域７を区画形成している。また、前面枠３の前面側には、遊技領域７を前方から被覆可能な内側開閉枠９を上下方向へ開閉可能な状態で軸着するとともに、該内側開閉枠９を前方から被覆可能な外側開閉枠１０を左右方向へ開閉可能な状態で軸着している。さらに、外側開閉枠１０の下方には、上皿ユニット１３と下皿ユニット１４とを左右に少し位置をずらした状態で上下に設け、上皿ユニット１３と下皿ユニット１４との間には、遊技状態に応じて音を発生するスピーカー１５を配置し、下皿ユニット１４の左側に灰皿１６を備え、下皿ユニット１４の右側に、遊技球を遊技領域７へ向けて発射操作するための発射操作ユニット（発射操作ハンドル）１７を備えている。
【００１７】
前面枠本体４は、矩形状の開口を上寄りに開設した合成樹脂製枠体であり、図２および図３に示すように、開口の周縁に額縁状の遊技盤収納フレーム２０を備え、遊技盤収納フレーム２０内に遊技盤５を着脱可能な状態で収納している。また、遊技盤収納フレーム２０の下方にフレームボード部２１を備え（図２参照）、該フレームボード部２１の上端に遊技盤載置部２２を設け、該遊技盤載置部２２に遊技盤５の下端を載置することで遊技盤５の上下方向の位置を規制する。
【００１８】
次に、内側開閉枠９および外側開閉枠１０について説明する。
内側開閉枠９は、図２および図３に示すように、遊技盤５（または遊技盤収納フレーム２０）よりも僅かに小さい略馬蹄形を呈する内側保持フレーム２５を備え、該内側保持フレーム２５の内側には、遊技領域７よりもひと回り大きなガラス板または透明樹脂板で形成された１枚の内側透明部材２６を保持している。そして、閉状態となる縦向き姿勢（図３参照）において上部となる内側保持フレーム２５の縁部（すなわち内側開閉枠９の上部）には、横長な内側ヒンジ機構２７を配置し、該内側ヒンジ機構２７を介して当該内側開閉枠９を前面枠本体４の上側、具体的には遊技盤収納フレーム２０の上縁部の前側へ軸着している。
【００１９】
したがって、内側開閉枠９のうち内側透明部材２６を挟んで内側ヒンジ機構２７とは反対側となる端部（図３中、下端部）を内側自由端部９ａとし、該内側自由端部９ａを上下方向へ移動可能とし、前面枠本体４（前面枠３）に対して上側に配置した横向きの内側回動軸ＬＡを中心にして縦方向（上下方向）へ開閉するように構成されている。具体的には、内側自由端部９ａを遊技盤５の下部の前方に配置して閉状態へ変換し（図３参照）、内側自由端部９ａを上方へ移動して内側ヒンジ機構２７（内側回動軸ＬＡ）よりも前方へ配置して開状態へ変換する（図２参照）。また、内側保持フレーム２５の一側（図３中、左側）には、縦長な平板状の内側係合ベース３０を外方（図３中、左側方）へ向けて延設し、該内側係合ベース３０の上下両側に縦長な内側係合受部３１を開設している。
【００２０】
外側開閉枠１０は、図１および図２に示すように、遊技盤収納フレーム２０よりもひと回り大きな額縁状のベースフレーム３４を備え、該ベースフレーム３４の中央に内側保持フレーム２５よりも僅かに小さい略馬蹄形の開閉枠開口３５を開設している。また、ベースフレーム３４の前面の上部および左右両側部に装飾部材３６を前方へ膨出した状態で配置し、上側の装飾部材３６の左右両側方には、遊技の効果音を発生するスピーカー３７を配置している。さらに、内側保持フレーム２５と略同じ形状を呈する外側保持フレーム３９に、内側透明部材２６と略同じ大きさを呈する１枚の外側透明部材４０を保持して透明ユニット４１を構成し、該透明ユニット４１をベースフレーム３４の後部に配置して開閉枠開口３５を後方から閉塞している。また、ベースフレーム３４の側部（図１中、左側部）には縦長な外側ヒンジ機構４２を配置し、該外側ヒンジ機構４２を介して外側開閉枠１０を前面枠本体４の一側（図２中、左側）、具体的には遊技盤収納フレーム２０の側縁部（左側縁部）の前側へ軸着している。
【００２１】
したがって、外側開閉枠１０のうち外側透明部材４０を挟んで外側ヒンジ機構４２とは反対側となる側端部（図１中、右端部）を外側自由端部１０ａとし、該外側自由端部１０ａを左右方向へ開閉移動可能とし、前面枠本体４（前面枠３）に対して一側（左側）に配置した縦向きの外側回動軸ＬＢ、すなわち内側回動軸ＬＡとは異なる外側回動軸ＬＢを中心にして横方向（左右方向）、言い換えると内側開閉枠９の上下開閉回動方向とは異なる左右の回動方向へ回動して開閉するように構成されている。具体的には、外側自由端部１０ａを前面枠本体４の他側（図２中、右側）に当接して閉状態とし（図１参照）、外側自由端部１０ａを手前に引いて前面枠本体４から離して外側ヒンジ機構４２（外側回動軸ＬＢ）よりも前方に位置させることによって開状態へ変換する（図２参照）。また、外側自由端部１０ａの裏側（前面枠本体４の前面と対向する側）には、縦長な平板状の外側係合ベース４４を止着し、該外側係合ベース４４の上下両側および上下方向の中央よりも上寄りの位置に縦長な外側係合受部４５を開設している（図４（ｂ）参照）。
【００２２】
さらに、前面枠本体４には、内側開閉枠９を閉状態でロックする内側ロック機構４９と、外側開閉枠１０を閉状態でロックする外側ロック機構５０とを備えている。内側ロック機構４９は、図３に示すように、前面枠本体４のうち外側回動軸ＬＢの近傍、具体的には、外側回動軸ＬＢよりも遊技盤５寄り（図３中、右寄り）であって、閉状態における内側開閉枠９の内側係合ベース３０の後方に位置する箇所に配置されている。そして、金属板を屈曲する等して成形された縦長な内側ロックベース５２を備え、該内側ロックベース５２の前面には、尖端部を下方へ向けた複数（本実施形態では上下２つ）の内側係合爪５３を上下方向へ移動可能な状態で前方へ向けて突設し、内側係合爪５３を内側係合ベース３０の内側係合受部３１に係合して閉状態の内側開閉枠９をロックするように構成されている。
【００２３】
また、内側係合爪５３をコイルばね等の内側係合付勢部材（図示せず）により常時下方へ付勢し、内側ロックベース５２の上部には内側解除操作部（内側シリンダ錠）５４を備え、該内側解除操作部５４に内側鍵部材５５を係合（挿入）して回動すると、内側係合付勢部材の付勢力に抗して内側係合爪５３を上方へ移動して内側ロック機構４９のロック状態を解除、具体的には内側係合爪５３と内側係合受部３１との係合状態を解除できるように構成されている。なお、内側解除操作部５４は、閉状態における内側開閉枠９の内側係合ベース３０よりも上方に配置されており、外側開閉枠１０を開状態に変換すると、内側開閉枠９の開閉に拘らず前方へ露出して内側鍵部材５５を係合可能となり、外側開閉枠１０を閉状態に変換すると、外側開閉枠１０により被覆されて内側鍵部材５５を係合不能となるように設定されている。
【００２４】
外側ロック機構５０は、図３に示すように、前面枠本体４のうち遊技盤５（遊技盤収納フレーム２０）を挟んで外側回動軸ＬＢとは反対側、言い換えると前面枠本体４のうち外側開閉枠１０の外側自由端部１０ａが重合する箇所に配置されている。そして、図４に示すように、金属板を屈曲する等して成形された縦長な外側ロックベース５８を備え、該外側ロックベース５８の前面には、尖端部を上方へ向けた複数（本実施形態では３つ）の外側係合爪５９を上下方向へ移動可能な状態で前方へ向けて突設し、外側係合爪５９を外側係合受部４５が重合可能な箇所に設定し、外側係合ベース４４の外側係合受部４５に係合して閉状態の外側開閉枠１０をロックするように構成されている。
【００２５】
また、外側係合爪５９をコイルばね等の外側係合付勢部材（図示せず）により常時上方へ付勢し（図４（ａ）参照）、外側ロックベース５８の下部には外側解除操作部（外側シリンダ錠）６０を備え、該外側解除操作部６０に外側鍵部材６１を係合（挿入）して回動すると、外側係合付勢部材の付勢力に抗して外側係合爪５９を下方へ移動して外側ロック機構５０のロック状態を解除、具体的には外側係合爪５９と外側係合受部４５との係合状態を解除できるように構成されている（図４（ｂ）参照）。なお、外側解除操作部６０は、上皿ユニット１３の側方（図３中、右側方）に常時露出した状態で配置され、外側開閉枠１０の開閉に拘らず外側鍵部材６１を係合可能となるように設定されている。また、外側ロック機構５０の後部には、前面枠本体４と外枠２とを係合するための枠係合部６２を上下方向へ移動可能な状態で配置している。
【００２６】
このような構成の内側開閉枠９および外側開閉枠１０を備え、前面枠３に対して内側開閉枠９を閉じると、内側開閉枠９と遊技盤５とが前後に位置して、内側透明部材２６が遊技領域７を透視可能な状態で遊技盤５を前方から被覆する。また、内側係合爪５３と内側係合受部３１とが係合して、閉状態の内側開閉枠９が内側ロック機構４９によりロックされる。さらに、外側開閉枠１０を閉じると、図５に示すように、外側透明部材４０と閉状態の内側開閉枠９とが前後に位置して、外側透明部材４０が内側開閉枠９、遊技盤５および遊技盤収納フレーム２０、内側ロック機構４９の内側解除操作部５４を前方から被覆し、外側透明部材４０および内側透明部材２６を介して遊技領域７を前方から透視可能となる。また、外側係合爪５９と外側係合受部４５とが係合して、閉状態の外側開閉枠１０が外側ロック機構５０によりロックされる。したがって、遊技領域７を二重の開閉枠９，１０で被覆することができる。また、閉状態の外側開閉枠１０を強引に開こうとして撓ませたとしても、閉状態の内側開閉枠９が撓むことを阻止することができる。このことから、遊技領域７とパチンコ遊技機１の外部とを連通して不正部材が挿入可能となる隙間が形成される不都合を抑えることができ、ひいてはこの隙間を通して不正部材を遊技領域７へ侵入させようとする不正行為を抑制することができる。
【００２７】
さらに、内側開閉枠９および外側開閉枠１０を閉じた状態では、内側透明部材２６と外側透明部材４０とを前後に離間して、内側透明部材２６と外側透明部材４０との間に透明部材間空部６４を形成するとともに、内側保持フレーム２５と外側保持フレーム３９とを前後に離間して、透明部材間空部６４を内側透明部材２６の縁部および外側透明部材４０の縁部よりも外方の空間へ連通する。したがって、内側開閉枠９および外側開閉枠１０を閉じて内側透明部材２６と外側透明部材４０とを前後に位置した状態であっても、両透明部材２６，４０の間の空間と外部との通気性を維持することができ、透明部材２６，４０の表面に結露が生じて遊技領域７を視認し難くなる不都合をなくすことができる。また、遊技領域７の前方から磁力を作用させて遊技球を不正に誘導しようとしても、磁力が作用するまで磁石などの不正部材を遊技領域７内の遊技球に近づけることを阻止することができる。したがって、磁力を利用して遊技球を誘導する不正行為を未然に防ぐことができる。
【００２８】
そして、内側開閉枠９および外側開閉枠１０を閉じてロックした状態から遊技領域７を露出するには、まず、外側鍵部材６１を外側解除操作部６０へ係合して外側ロック機構５０のロック状態を解除し、外側開閉枠１０を開状態へ変換する。このとき、外側開閉枠１０を大きく開いて外側自由端部１０ａが外側回動軸ＬＢの正面近くに位置する程度に設定する。すると、内側開閉枠９および内側解除操作部５４が露出し、内側開閉枠９の前方に、内側開閉枠９が上方へ回動可能となる空間を確保することができる。さらに、内側解除操作部５４の前方には、内側解除操作部５４に内側鍵部材５５を係合可能な姿勢（内側鍵部材５５の先端を内側解除操作部５４へ挿入可能となる姿勢）で近接可能とする空間を確保することができる。
【００２９】
内側開閉枠９および内側解除操作部５４を露出したならば、内側鍵部材５５を内側解除操作部５４へ係合して内側ロック機構４９のロック状態を解除し、内側開閉枠９を開状態へ変換する。この結果、遊技盤５の前方から外側開閉枠１０および内側開閉枠９を外して遊技領域７を露出することができる。このように、複数のロック機構４９，５０を解除した後でなければ遊技領域７を露出することができないように設定することができる。したがって、不正目的で遊技領域７を露出しようとする不正行為者の作業を長引かせることができる。また、外側回動軸ＬＢの近傍に内側ロック機構４９および内側解除操作部５４を配置し、この内側ロック機構４９および内側解除操作部５４を外側開閉枠１０により被覆可能としたので、外側開閉枠１０を十分に開かなければ内側ロック機構４９を解除することができないように設定することができる。したがって、不正行為者が合鍵を不正に入手して開閉枠９，１０を遊技店の店員に気づかれないように開こうとしても、不正目的で遊技領域７を露出しようとする不正行為を目立たせることができる。このことから、不正行為の摘発や防止を促進することができる。
【００３０】
ところで、上記実施形態では、外側開閉枠１０を十分に開けば内側解除操作部５４を露出して内側開閉枠９を開く準備を行えるように構成されていたが、本発明はこれに限定されず、外側開閉枠１０を予め設定された開放姿勢で開いた場合にのみ、内側開閉枠９を開く準備を行えるようにしてもよい。例えば、図６に示すように、外側開閉枠１０と前面枠３（前面枠本体４）との間に、外側開閉枠１０の開閉に伴って移動する係合許容機構６７を備え、この係合許容機構６７により内側解除操作部５４と内側鍵部材５５との係合を許容するように構成してもよい。具体的に説明すると、係合許容機構６７は、前面枠本体４のうち内側解除操作部５４の前方に左右方向へスライド可能な状態で配置されたスライド部材（係合許容部）６８と、外側開閉枠１０に配置され、スライド部材６８に係合可能な係合ピン６９とから構成されている。
【００３１】
スライド部材６８は、横長な短冊状の部材であり、一端を内側解除操作部５４の前方に配置し、他端を外側回動軸ＬＢの後方に配置し、内側解除操作部５４側（図６（ａ）中、右側）には、内側鍵部材５５の先端が挿通可能な切欠部６８ａを開設し、外側回動軸ＬＢ側（図６（ａ）中、左側）には、係合ピン６９を係合可能なスライド係合受部６８ｂを設けている。また、係合ピン６９は、外側開閉枠１０のうち外側回動軸ＬＢを挟んで外側自由端部１０ａとは反対側（図６（ａ）中、左側）に配置されており、外側開閉枠１０の開動作に伴って外側回動軸ＬＢを中心に回動して内側解除操作部５４側へ近づくように構成されている（図６（ｃ），（ｅ）参照）。
【００３２】
このような構成の係合許容機構６７を備え、外側開閉枠１０を閉じた状態では、スライド部材６８を外側回動軸ＬＢ側（図６（ａ）中、左側）に寄せ、スライド係合受部６８ｂを係合ピン６９の後方に配置するとともに、切欠部６８ａを内側解除操作部５４の鍵挿入口５４ａよりも外側回動軸ＬＢ寄りに配置しておく（図６（ｂ）参照）。この状態で外側開閉枠１０を開くと、係合ピン６９が外側開閉枠１０とともに回動し、スライド部材６８のスライド係合受部６８ｂに係合する。この係合状態で引き続き外側開閉枠１０を開くと、係合ピン６９がスライド部材６８を押圧して内側解除操作部５４側へスライドさせる。そして、外側開閉枠１０を予め設定された許容開放姿勢、例えば外側開閉枠１０が外側回動軸ＬＢの真正面へ向けて延出した姿勢、言い換えると外側開閉枠１０を前面枠本体４に対して直交する姿勢まで開くと、切欠部６８ａが内側解除操作部５４の鍵挿入口５４ａの正面に位置し、内側解除操作部５４と内側鍵部材５５との係合を許容する（図６（ｃ），（ｄ）参照）。さらに、外側開閉枠１０を開いて許容開放姿勢から外すと、切欠部６８ａが内側解除操作部５４の鍵挿入口５４ａの正面を通過し、内側解除操作部５４と内側鍵部材５５との係合が規制される（図６（ｅ），（ｆ）参照）。したがって、内側開閉枠９を開放する準備において、外側開閉枠１０の開き具合を調整するという手間を増やすことができる。このため、不正目的で遊技領域７を露出しようとする不正行為者の作業を長引かせることができ、不正行為の摘発や防止を一層促進することができる。
【００３３】
ところで、上記実施形態では、内側開閉枠９をロックする機構と外側開閉枠１０をロックする機構とを別個に設けたが、本発明はこれに限定されない。例えば、図７に示すように、前面枠本体４のうち外側開閉枠１０の自由端部（外側自由端部１０ａ）が重合する箇所に、内側開閉枠９および外側開閉枠１０を閉状態でロックする開閉ロック機構７２を備えてもよい。開閉ロック機構７２は、金属板を屈曲する等して成形された縦長な開閉ロックベース７３を備え、該開閉ロックベース７３の前面には、尖端部を上方へ向けた複数（本実施形態では３つ）の開閉係合爪７４を上下方向へ移動可能な状態で前方へ向けて突設している。そして、開閉係合爪７４のうち上下両側の開閉係合爪７４を外側係合受部４５が重合可能な箇所に設定し、中央の開閉係合爪７４を内側開閉枠９の側部（図７（ａ）中、右側部）に設けられた内側係合受部３１に重合可能な箇所に設定している。
【００３４】
また、開閉係合爪７４をコイルばね等の係合付勢部材（図示せず）により常時上方へ付勢し（図７（ａ）参照）、開閉ロックベース７３の下部には開閉解除操作部（開閉シリンダ錠）７５を備え、該開閉解除操作部７５に開閉鍵部材７６を係合（挿入）して回動すると、係合付勢部材の付勢力に抗して各開閉係合爪７４を下方へ移動して開閉ロック機構７２のロック状態を解除、具体的には開閉係合爪７４と外側係合受部４５および内側係合受部３１との係合状態を解除できるように構成されている（図７（ｂ）参照）。なお、開閉解除操作部７５は、上皿ユニット１３の側方（図３中、右側方）に常時露出した状態で配置され、外側開閉枠１０の開閉に拘らず開閉鍵部材７６を係合可能となるように設定されている。
【００３５】
このような構成の開閉ロック機構７２を備え、前面枠３に対して内側開閉枠９を閉じると、中央の開閉係合爪７４と内側係合受部３１とが係合して、閉状態の内側開閉枠９が内側ロック機構４９によりロックされる。さらに、外側開閉枠１０を閉じると、上下両側の開閉係合爪７４と外側係合受部４５とが係合して、閉状態の外側開閉枠１０が外側ロック機構５０によりロックされる。一方、内側開閉枠９および外側開閉枠１０を閉じてロックした状態から遊技領域７を露出するには、まず、開閉鍵部材７６を開閉解除操作部７５へ係合し、この開閉鍵部材７６を回動して開閉ロック機構７２のロック状態を解除し、外側開閉枠１０を開状態へ変換する。このとき、開閉鍵部材７６から手を離すと、係合付勢部材の付勢力により各開閉係合爪７４が上方へ移動し、内側開閉枠９が閉状態のまま再びロックされる。そして、開閉解除操作部７５へ係合された開閉鍵部材７６を再び回動し、開閉ロック機構７２による内側開閉枠９のロック状態を解除し、内側開閉枠９を開状態へ変換する。この結果、遊技盤５の前方から外側開閉枠１０および内側開閉枠９を外して遊技領域７を露出することができる。このように、単一のロック機構で内側開閉枠９および外側開閉枠１０を閉状態でロックすることができる。したがって、内側開閉枠９および外側開閉枠１０をロックするための構成が複雑になる不都合を避けることができ、各開閉枠９，１０のロック機構の製造コスト、ひいてはパチンコ遊技機１の製造コストの低減を図ることができる。また、開閉ロック機構７２を操作するだけで内側開閉枠９および外側開閉枠１０のロック状態を解除することができる。したがって、不正行為ではない正規のメンテナンス作業等において作業員の負担を軽減することができる。
【００３６】
ところで、上記実施形態では、外側開閉枠１０を前面枠本体４の側部（左側部）へ軸着するとともに、内側開閉枠９を前面枠本体４の上部へ軸着したが、本発明はこれに限定されない。要は、外側開閉枠１０を前面枠３に対して内側回動軸とは異なる外側回動軸を中心に内側開閉枠９とは異なる回動方向へ回動して開閉可能とすればよい。例えば、図８に示すように、外側開閉枠１０を前面枠本体４の一側（図８中、左側）へ軸着して外側回動軸ＬＢを前面枠本体４の一側に設定するとともに、内側開閉枠９を前面枠本体４の他側（図８中、右側）へ軸着して内側回動軸ＬＡを前面枠本体４の他側に設定してもよい。あるいは、外側開閉枠１０を前面枠本体４の上部へ軸着するとともに、内側開閉枠９を前面枠本体４の一側へ軸着してもよい。
【００３７】
また、上記した実施形態は、代表的な遊技機であるパチンコ遊技機を例に挙げて説明したが、本発明はこれに限らず、前面枠と、該前面枠に収納され、前面に遊技領域が区画形成された遊技盤とを備えた遊技機であればどのような遊技機でもよい。例えば、内部に封入した遊技球を循環させる封入球式パチンコ機、アレンジボール式遊技機、雀球式遊技機等の遊技機であってもよい。
【００３８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３９】
【図１】パチンコ遊技機の正面図である。
【図２】外側開閉枠および内側開閉枠を開いた状態のパチンコ遊技機の斜視図である。
【図３】外側開閉枠を開いた状態のパチンコ遊技機の正面図である。
【図４】外側ロック機構の説明図であり、（ａ）は外側係合爪を上方へ移動した状態の斜視図、（ｂ）は外側係合爪を下方へ移動した状態の斜視図である。
【図５】外側開閉枠および内側開閉枠を閉じた状態のパチンコ遊技機の断面図である。
【図６】係合許容機構の説明図であり、（ａ）は外側開閉枠を閉じた状態の平面図、（ｂ）は（ａ）の正面図、（ｃ）は外側開閉枠を許容開放姿勢まで開いた状態の平面図、（ｄ）は（ｃ）の正面図、（ｅ）は外側開閉枠を許容開放姿勢よりも広く開いた状態の平面図、（ｆ）は（ｅ）の正面図である。
【図７】開閉ロック機構の説明図であり、（ａ）は開閉係合爪を上方へ移動した状態の斜視図、（ｂ）は開閉係合爪を下方へ移動した状態の斜視図である。
【図８】外側開閉枠を前面枠本体の左側へ軸着し、内側開閉枠を前面枠本体の右側へ軸着したパチンコ遊技機の斜視図である。
【符号の説明】
【００４０】
１  パチンコ遊技機
３  前面枠
４  前面枠本体
５  遊技盤
７  遊技領域
９  内側開閉枠
９ａ  内側自由端部
１０  外側開閉枠
１０ａ  外側自由端部
２５  内側保持フレーム
２６  内側透明部材
２７  内側ヒンジ機構
３０  内側係合ベース
３１  内側係合受部
３９  外側保持フレーム
４０  外側透明部材
４２  外側ヒンジ機構
４４  外側係合ベース
４５  外側係合受部
４９  内側ロック機構
５０  外側ロック機構
５２  内側ロックベース
５３  内側係合爪
５４  内側解除操作部
５４ａ  鍵挿入口
５５  内側鍵部材
５８  外側ロックベース
５９  外側係合爪
６０  外側解除操作部
６１  外側鍵部材
６４  透明部材間空部
６７  係合許容機構
６８  スライド部材
６８ａ  切欠部
６８ｂ  スライド係合受部
６９  係合ピン
７２  開閉ロック機構
７４  開閉係合爪
７５  開閉解除操作部
【図１】
2008206812.tif 000003
【図２】
2008206812.tif 000004
【図３】
2008206812.tif 000005
【図４】
2008206812.tif 000006
【図５】
2008206812.tif 000007
【図６】
2008206812.tif 000008
【図７】
2008206812.tif 000009
【図８】
2008206812.tif 000010